(57)【要約】      （修正有）【課題】足首および足の甲を適切に保温でき、かつ靴の脱ぎ履きを妨げない形状の使い捨てカイロを提供する。【解決手段】足首保温用使い捨てカイロＡ１は、足の甲を覆う保温部１と、この保温部１の両端から一体に延出して足首に巻き付けられる一対の帯部２ａ，２ｂとを備え、保温部１は、前縁部１ａが略弧状に膨出しているとともに、後縁部１ｂが略弧状に凹入しており、一対の帯部２ａ，２ｂは、保温部１に対して所定幅をもって斜め後方に延出させられており、少なくとも保温部１には、発熱組成物が内包させられている。【選択図】図１
0003120300.tif 000002
【実用新案登録請求の範囲】
【請求項１】
足の甲を覆う保温部と、この保温部から延出して足首に巻き付けられる帯部とを備え、
少なくとも上記保温部は、発熱組成物を内包していることを特徴とする、足首保温用使い捨てカイロ。
【請求項２】
上記保温部は、前縁部が膨出しているとともに、後縁部が凹入している、請求項１に記載の足首保温用使い捨てカイロ。
【請求項３】
上記保温部の上記前縁部は略弧状に膨出しているとともに、上記保温部の上記後縁部は略弧状に凹入している、請求項２に記載の足首保温用使い捨てカイロ。
【請求項４】
上記保温部は、前後中心線に沿う幅が最も広くなっている請求項２または３に記載の足首保温用使い捨てカイロ。
【請求項５】
上記帯部は、上記保温部の両端からそれぞれ所定長さ延出している、請求項２ないし４のいずれかに記載の足首保温用使い捨てカイロ。
【請求項６】
上記帯部は、上記保温部の一端から所定長さ延出している、請求項２ないし４のいずれかに記載の足首保温用使い捨てカイロ。
【請求項７】
上記帯部は、上記保温部と一体となって内部に発熱組成物を内包している、請求項２ないし６のいずれかに記載の足首保温用使い捨てカイロ。
【請求項８】
上記帯部の先端には、他方の帯部または上記保温部に対して連結して足首に巻き付けて固定するための連結手段が設けられている、請求項２ないし６のいずれかに記載の足首保温用使い捨てカイロ。
【請求項９】
少なくとも、上記帯部の裏面には、粘着層が形成されている、請求項２ないし６に記載の足首保温用使い捨てカイロ。
【請求項１０】
足の甲を覆う保温部と、この保温部の両端から一体に延出して足首に巻き付けられる一対の帯部とを備え、
上記保温部は、前縁部が略弧状に膨出しているとともに、後縁部が略弧状に凹入しており、
上記一対の帯部は、上記保温部に対して所定幅をもって斜め後方に延出させられており、
少なくとも上記保温部には、発熱組成物が内包させられていることを特徴とする、足首保温用使い捨てカイロ。
【請求項１１】
上記保温部は、前後中央線に沿う幅が最も広くなっている、請求項１０に記載の足首保温用使い捨てカイロ。
【請求項１２】
上記一対の帯部の先端には、相互を連結するための連結手段が設けられている、請求項１０または１１に記載の足首保温用使い捨てカイロ。
【請求項１３】
少なくとも上記一対の帯部の先端部の裏面には、粘着層が形成され、この粘着層には離型紙が付着させられている、請求項１０または１１に記載の足首保温用使い捨てカイロ。
【考案の詳細な説明】
【技術分野】
【０００１】
本考案は、足首を保温できる使い捨てカイロに関する。
【背景技術】
【０００２】
鉄粉、活性炭、塩類、吸水性樹脂、および、水を含む発熱組成物は、点火を必要とせず、空気と接触するだけで簡単に発熱する。このような発熱組成物を通気性収納袋に封入した使い捨てカイロが、手足や腰などを温める目的で様々な形態で用いられている。たとえば、特許文献１や特許文献２において、手首や足首を保温するために、上記のような使い捨てカイロを手首や足首周りに巻きつけることが出来る形状にすることなどが提案されている。このような手首・足首保温用使い捨てカイロは、本願の図９に示すように、薄くて小型の使い捨てカイロ本体１０４の両端から紐状の巻き付け部１０２ａ，１０２ｂを延出させた形態を備えており、手首や足首の温めたい部位にカイロ本体１０４を当てながら、巻き付け部１０２ａ，１０２ｂを上記本体１０４の反対側で連結し、全体として輪をなすようにして手首や足首に巻き付けて使用する。
【０００３】
ところで、足首のみならず、足の甲を温めたい場合があるが、このような場合、図９に示した使い捨てカイロでは、カイロ本体１０４を足の甲に当て、巻き付け部１０２ａ，１０２ｂを足の側部から足裏に回して連結するようにして装着せざるをえない。そうすると、履物を履いた場合に足裏に違和感が生じるという問題があるほか、履物を履いた状態で足の甲を温めるように上記の使い捨てカイロを装着することができず、不便であった。
【０００４】
【特許文献１】特開平１１−４８４７号公報
【特許文献２】特開２００３−２３５８８５号公報
【考案の開示】
【考案が解決しようとする課題】
【０００５】
本考案は、足の甲ないし足首を適切に保温でき、かつ履物を履いた状態においても容易に装着可能な使い捨てカイロを提供することをその課題としている。
【課題を解決するための手段】
【０００６】
上記の課題を解決するため、本考案では、次の技術的手段を採用した。
【０００７】
本考案において提供される足首保温用使い捨てカイロは、足の甲を覆う保温部と、この保温部から延出して足首に巻き付けられる帯部とを備え、少なくとも上記保温部は、発熱組成物を内包していることを特徴とする。
【０００８】
このような構成によれば、この足首保温用使い捨てカイロは、発熱組成物を内包した保温部を、この保温部から延出する帯部を足首に巻き付けることで、足の甲を覆うように固定することができるので、足の甲を好適に暖めることができる。さらに、帯部を足首に巻きつけることで保温部を固定しているので、この足首保温用使い捨てカイロは履物の脱ぎ履きを妨げることはなく、また、履物を履いた状態においても装着することができる。
【０００９】
好ましい実施の形態においては、上記保温部は、前縁部が膨出しているとともに、後縁部が凹入しているのがよい。このような構成によれば、上記保温部は好適に足の甲を広く覆うことができる。さらに、上記保温部の上記前縁部が略弧状に膨出しているとともに、上記保温部の上記後縁部が略弧状に凹入していると、上記保温部は、曲線的な形状の足の甲や足首に沿って設置しやすくなる。また、上記保温部が、前後中心線に沿う幅が最も広くなっていることは、暖めたい部位の面積を増やすことになるので合理的な形状である。
【００１０】
さらに好ましい実施の形態においては、上記帯部は、上記保温部の両端からそれぞれ所定長さ延出している、もしくは、上記保温部の一端から所定長さ延出していることが好ましい。このような構成によれば、上記帯部を足首の後ろ側に回し、容易に巻き付けることができる。
【００１１】
また、さらに好ましい実施の形態においては、上記帯部は、上記保温部と一体となって内部に発熱組成物を内包している。このような構成によれば、上記帯部によって足首も温めることができるので、より高い保温効果を得ることができる。
【００１２】
好ましい実施の形態においては、上記帯部の先端には、他方の帯部または上記保温部に対して連結して足首に巻き付けて固定するための連結手段が設けられている。このような構成によれば、上記保温部および上記帯部は連結手段を連結すると足首に巻き付く環状となり、好適に保温部の位置を固定することができる。
【００１３】
別の好ましい実施の形態においては、上記帯部の裏面には、粘着層が形成されている。このような構成によれば、この足首保温用使い捨てカイロはこの粘着層によって、容易に足の甲および足首に貼り付けることが可能である。
【００１４】
別の最も好ましい実施の形態においては、上記保温部は、前縁部が略弧状に膨出しているとともに、後縁部が略弧状に凹入しており、上記一対の帯部は、上記保温部に対して所定幅をもって斜め後方に延出させられており、少なくとも上記保温部には、発熱組成物が内包させられている。このような構成によれば、この足首保温用使い捨てカイロは、足の甲ないし足首にかけての足の立体的な形状にそってぴったり押し当てることができ、足の甲から足首にかけての保温効果は抜群なものとなる。上記保温部は、前後中央線に沿う幅が最も広くなっているのが好ましい。また、上記一対の帯部の先端には、相互を連結するための連結手段が設けられているのが好ましい。あるいは、少なくとも上記一対の帯部の先端部の裏面には、粘着層が形成され、この粘着層には離型紙が付着させられているような構成にしてもよい。連結手段によって、帯部が環状となって足首に巻き付けられるか、あるいは、粘着層によって靴下などに貼り付けられることにより、この足首保温用使い捨てカイロは所定の位置に適正に固定される。
【００１５】
本考案のその他の特徴および利点は、図面を参照して以下に行う詳細な説明から、より明らかとなろう。
【考案を実施するための最良の形態】
【００１６】
以下、本考案の好ましい実施の形態について具体的に説明する。
【００１７】
図１〜図４は、本考案の第１実施形態に係る足首保温用使い捨てカイロＡ１を示す。図１は足首保温用使い捨てカイロＡ１の平面図であり、図２は図１のII-II線に沿う断面図である。図３は足首保温用使い捨てカイロＡ１を足首に装着した状態を示す斜視図であり、図４は装着された足首保温用使い捨てカイロＡ１の背面図である。なお、本明細書においては、図１中における上方を足首保温用使い捨てカイロＡ１の後方とし、図１中下方を足首保温用使い捨てカイロＡ１の前方としている。また、図１において、足首保温用使い捨てカイロＡ１の前後中央線ＣＬを仮想線を用いて示している。
【００１８】
足首保温用使い捨てカイロＡ１は、図１に示すような形状の通気性を備えた２枚の生地を、図２に示すように、袋状に接合したものであって、内部に発熱組成物４が封入されている。この発熱組成物４は、たとえば、鉄粉、活性炭、塩類、水を含んだ吸水性樹脂等からなる公知のものを用いることができる。使用にあたってこのカイロＡ１を振ったり、揉んだりすることにより、組成物成分が混じり合い、封入された鉄粉が空気中の酸素に触れて酸化発熱反応を起こして発熱する。
【００１９】
図１に示されているように、足首保温用使い捨てカイロＡ１は、保温部１と、保温部１から図中左右後方へ斜めに延びる帯部２ａ，２ｂを備えている。保温部１は、前縁部１ａが略弧状に膨出しているとともに、後縁部１ｂが略弧状に凹入しており、前後中央線ＣＬに沿う幅が最も広くなるような形状をしている。また、前縁部１ａの弧長は後縁部１ｂの弧長よりも長くなっている。帯部２ａおよび帯部２ｂの端辺には、接合部３ａおよび接合部３ｂが形成されている。このような足首保温用使い捨てカイロＡ１を、保温部１が足首前面から足の甲までを覆うように装着した様子が図３に示されている。図３においては、人の足を仮想線によって示している。
【００２０】
図３に示されているように、保温部１は、前縁部１ａが足の甲の曲線に沿うように形成されており、後縁部１ｂが足首前面側の曲線に沿うように形成されている。また、帯部２ａ，２ｂは、上記したように保温部１から斜め後方に延出しているため、足首の側面ないし背面の曲線に沿うように巻き付けられると、この帯部２ａ，２ｂの側縁が足の上下方向に対してほぼ水平となる。また、帯部２ａ，２ｂは、このような装着状態において、図４に示すように、接合部３ｂ，３ａの端辺が足の上下方向に沿う方向を向き、接合部３ａと接合部３ｂとが適当な幅で互いに重なるように形成されている。
【００２１】
接合部３ａと接合部３ｂとの接合手段としては、様々な方法を適宜用いることが可能である。例えば、接合部３ｂの表側と接合部３ａの裏側とに粘着層を設け、それらを貼り合わせる方法などが好適である。このような接合手段をとる場合、図４に示すように、両接合部３ａ，３ｂがそれらの端辺どうしが平行となるように向き合うようにすることは、十分な接合強度を確保できる接合面積を得るために合理的である。また、両接合部３ａ，３ｂの端辺の下端部は、斜めにカットされている。
【００２２】
このような足首保温用使い捨てカイロＡ１は、人の足の甲ないし足首の形状に沿うように装着できるので、ずれにくく、長時間にわたり安定して足の甲ないし足首を暖め続けることが可能である。さらに、この足首保温用使い捨てカイロＡ１は、足首に帯部２ａ，２ｂを巻きつけて足首の背面でそれらを接合して装着するので、履物の脱ぎ履きを妨げる心配もないし、履物を履いた状態で問題なく装着することもできる。しかも、足首保温用使い捨てカイロＡ１を環状とした際に、接合部３ａ，３ｂの各端辺が平行となるように形成されているので、両接合部３ａ，３ｂの重ね合わせ接合幅を最小限に抑えることができる。すなわち、このことは、足首保温用使い捨てカイロＡ１の図１左右方向の幅を最低限に抑えることができることをも意味し、経済的である。また、帯部２ａと帯部２ｂの端辺の角が斜めにカットされているので、この部分から両接合部３ａ，３ｂの間に指を入れることができ、貼り合わされた両接合部３ａ，３ｂを引き離すのが容易となっている。
【００２３】
なお、足首保温用使い捨てカイロＡ１は、保温部１を含め、裏面全面に粘着層を設けてもよい。低温火傷を防止するため、足首保温用使い捨てカイロＡ１は靴下等の外側に取り付けるのが自然である。したがって、このように裏面全面に粘着層を設けておけば、足首保温用使い捨てカイロＡ１を靴下の上から貼り付けて使用できる。また、少なくとも、帯部２ａ，２ｂの端辺の双方の裏側にこのような粘着層を設けるようにしてもよく、この場合、帯部２ａ，２ｂの端辺を足首の背側に固定することが可能である。なお、このように、粘着層を設ける場合、使用時までその粘着層を保護するために、離型紙を付着させておくのが好ましい。
【００２４】
図５に本考案の第２実施形態に係る足首保温用使い捨てカイロＡ２を示す。図５は、足首保温用使い捨てカイロＡ２の生地を一枚の大生地から切り抜く様子と、生地の形状を平面図で示している。なお、図１の場合と同様に、図中上方向を後方、図中下方向を前方とする。
【００２５】
足首保温用使い捨てカイロＡ２は、図５のように大生地から切り出された通気性のよい生地を、２枚重ね合わせてその外縁を接着剤等で接合することで、袋状としたものであって、内部に発熱組成物が封入されている。
【００２６】
この足首保温用使い捨てカイロＡ２は、保温部１と、保温部１から左右方向に延びる帯部２ａ，２ｂと、を備えて構成されている。保温部１は、前縁部１ａが略弧状に膨出しているとともに、後縁部１ｂが略弧状に凹入している。帯部２ａおよび帯部２ｂは図５中左右方向へ真っ直ぐ延びており、帯部２ａの左端には接合部３ａが、帯部２の右端には接合部３ｂが形成されている。
【００２７】
この第２実施形態に係る足首保温用使い捨てカイロＡ２は、上記した第１実施形態に係る足首保温用使い捨てカイロＡ１と以下の点で異なっている。保温部１は、その前縁部１ａと後縁部１ｂが同型の略弧状であり、前後の幅は一定である。帯部２ａ，２ｂが傾斜せずに保温部１から左右に真っ直ぐ延出している。すなわち、足首保温用使い捨てカイロＡ１は足首に巻き付けた状態で最も好適な状態となるように形成されていたのに対して、足首保温用使い捨てカイロＡ２は形成が容易な平面形状をとるように形成されている。
【００２８】
足首保温用使い捨てカイロＡ２は、前縁と後縁の形状が一致しており、図５中左右の端部も同じ方向を向いている。このため、図５に示すように、足首保温用使い捨てカイロＡ２用の生地は、大生地から最も無駄なく切り抜くことができる。すなわち、足首保温用使い捨てカイロＡ２は一枚の大生地からより多くの生地を切り取ることができる形状であるので、生産が容易でかつ経済的である。
【００２９】
足首保温用使い捨てカイロＡ２は、足首保温用使い捨てカイロＡ１と同様に、前縁部１ａが足の甲に、後縁部１ｂが足首の前面に沿うように保温部１を当て、帯部２ａ，２ｂを足首の側面ないし背面に沿うように足首に巻き付けて使用する。帯部２ａの図５中左端に接合部３ａを、帯部２ｂの図５中右端に接合部３ｂを形成し、それらを足首の背面で貼り合わせることで足首保温用使い捨てカイロＡ２は環状となって足首に固定される。より強固に固定するために、足首保温用使い捨てカイロＡ２の裏側の一部もしくは全部に粘着層を設けてもよい。
【００３０】
足首保温用使い捨てカイロＡ２についても、足の甲に適正にフィットする保温部１を備えているので、足の甲から足首にかけた部位を適正に保温することができる。また、足首保温用使い捨てカイロＡ２は足首保温用使い捨てカイロＡ１と同様に帯部２ａ，２ｂを足首の背面で接合するようにして使用するので、履物の脱ぎ履きを妨げることもないし、また、履物を履いた状態で不都合なく装着することができる。
【００３１】
図６に本考案の第３実施形態に係る足首保温用使い捨てカイロＡ３を示す。図６は、足首保温用使い捨てカイロＡ３の、足首に巻き付けていない状態での正面図である。
【００３２】
図６に示されているように、足首保温用使い捨てカイロＡ３は、保温部１と、保温部１の一側部に一端部が連結された帯部２と、を備えている。帯部２はその他端部に接合部３ｂが形成されている。この接合部３ｂと対応する接合部３ａは保温部１の他側部に形成されており、接合部３ａと接合部３ｂとを接合すると、足首保温用使い捨てカイロＡ３は環状となり、足首に巻きつけることができる。なお、接合部３ａは保温部１の表裏どちらに設けてもよく、接合部３ａと帯部２の取り付け部を図６中左右入れ替えてもよい。
【００３３】
帯部２の長さを人の足首周りの長さよりも比較的長くし、接合部３ｂの長さを長くすることで、接合位置の調整によって、環状となった帯部２の長さを調整できるようにするのが好ましい。たとえば、接合部３ｂの帯部２の端部とは反対側の一端を、接合部３ａと接合すると、環状となった帯部２の長さが、子供の足首サイズになるようにするなど、適宜に設定可能である。このため、接合部３ａと接合部３ｂとに粘着層を形成するのが好適である。また、接合部３ａに突起を形成し、接合部３ｂに上記突起と対応する複数の穴を形成し、突起と穴を嵌め合わせることで接合し、どの穴に嵌め合わせるかで長さを調整できるようにしても良い。
【００３４】
足首保温用使い捨てカイロＡ３の保温部１は、足首保温用使い捨てカイロＡ１の保温部１と同様に、通気性を備えた２枚の生地を縫い合わせて袋状にしたものであって、内部に発熱組成物が封入されている。また、この保温部１の形状も、足首保温用使い捨てカイロＡ１の保温部１と同様に、前縁部１ａが略弧状に膨出しているとともに、後縁部１ｂが略弧状に凹入しており、中央部の幅が最も広くなるような形状をしている。
【００３５】
この足首保温用使い捨てカイロＡ３を好適に使用するには、まず、後縁部１ｂを足首の前面にあわせ、前縁部１ａを足の甲に沿うように保温部１を設置する。次に、帯部２を足首に巻きつけて接合部３ａと接合部３ｂを接合する。これによって、足首保温用使い捨てカイロＡ３は足首に装着されるので、保温部１が足の甲ないし足首の前面に接し続けることになる。このため、足首保温用使い捨てカイロＡ３は、足の甲ないし足首の前面を長時間にわたって安定して暖めることができる。また、接合部３ｂのどの部分で接合部３ａと接合させるかを選択することにより、足首を締める帯部２の長さを調整することができ、大人から子供まで使用することが可能である。
【００３６】
図７に本考案の第４実施形態に係る足首保温用使い捨てカイロＡ４を示す。図７は、足首保温用使い捨てカイロＡ４の、足首に巻き付けていない状態での正面図である。
【００３７】
図７に示されているように、足首保温用使い捨てカイロＡ４は、保温部１と、保温部１の一側部に一端が連結された帯部２と、を備えている。この足首保温用使い捨てカイロＡ４は、接合部３ａ，３ｂの構造および保温部１の形状などにおいて足首保温用使い捨てカイロＡ３と略同様である。ただし、足首保温用使い捨てカイロＡ４においては、帯部２は、通気性を備えた２枚の生地を接合した袋状となっており、内部に発熱組成物が封入されている。このため、帯部２も保温機能を有する。
【００３８】
このような足首保温用使い捨てカイロＡ４は、足首保温用使い捨てカイロＡ１，Ａ２と同様に、足の甲ないし足首全体を暖めることができ、帯部２を足首周りに巻きつけて使用するので、履物の脱ぎ履きを妨げることはないし、履物を履いた状態においても装着することができる。また、足首保温用使い捨てカイロＡ３と同様に、帯部２の巻き付け長さを調整しやすい構造となっている。
【００３９】
図８に本考案の第５実施形態に係る足首保温用使い捨てカイロＡ５を示す。図８は、足首保温用使い捨てカイロＡ５の、足首に巻き付けていない状態での正面図である。
【００４０】
図８に示されているように、足首保温用使い捨てカイロＡ５は、保温部１と、保温部１の両側部から延びる帯部２ａ，２ｂと、を備えている。一方の帯部２ａの保温部１に連結されていない側の端には接合部３ａが形成されており、他方の帯部２ｂの保温部１に連結されていない側の端には接合部３ｂが形成されている。なお、保温部１の構造は足首保温用使い捨てカイロＡ１，Ａ３，Ａ４と同様である。
【００４１】
帯部２ａおよび２ｂは、足首保温用使い捨てカイロＡ４における帯部２と同様に袋状とし、発熱組成物を封入することができる。なお、帯部２ａと帯部２ｂに封入する発熱組成物の量を自在に変更可能である。たとえば、帯部２ａおよび２ｂの両方もしくは一方に発熱組成物を封入しない場合も考えられる。また、帯部２ａおよび帯部２ｂは、足首に巻き付けて使用するので、足首保温用使い捨てカイロＡ１における帯部２ａおよび帯部２ｂと同様に傾斜しているのが好ましい。なお、図８においては、帯部２ａと帯部２ｂの長さの比率を略１：１として示しているが、この比率は適宜に設定可能である。
【００４２】
接合部３ａと接合部３ｂとの接合手段は、足首保温用使い捨てカイロＡ１またはＡ２の場合と同様の手段が好ましいが、単純に結び合わせるなどの方法を用いてもよい。
【００４３】
このような足首保温用使い捨てカイロＡ５は、足首保温用使い捨てカイロＡ１あるいはＡ３と同様に、少なくとも足の甲と足首の前面を暖めることができ、履物の靴の脱ぎ履きを妨げることもないし、履物を履いた状態で装着することもできる。また、たとえば、帯部２ａもしくは帯部２ｂに封入する発熱組成物の量を調整することにより、それぞれ異なる保温機能をもった足首保温用使い捨てカイロＡ５を製作することができる。
【００４４】
本考案に係る足首保温用使い捨てカイロは、上述した実施形態に限定されるものではない。本考案に係る足首保温用使い捨てカイロの各部の具体的な構成は、様々に設計変更自在である。たとえば、上記実施形態においては、袋状の保温部に直接発熱組成物を封入しているが、その成分、組成は従来知られているいずれのものを使用してもよく、あるいは、袋状とした保温部に既存の使い捨てカイロを収容してもよい。また、足首保温用使い捨てカイロＡ３，Ａ４，Ａ５において、接合部３ａ，３ｂを形成するかわりに、保温部１および、帯部２または各帯部２ａ，２ｂの裏面に粘着層を設けて足の甲ないし足首に靴下越しに貼り付ける方法を採ってもよい。
【図面の簡単な説明】
【００４５】
【図１】本考案の第１実施形態に係る足首保温用使い捨てカイロＡ１の正面図である。
【図２】図１のII-II線に沿う断面図である
【図３】足首保温用使い捨てカイロＡ１の着用時の斜視図である。
【図４】足首保温用使い捨てカイロＡ１の着用時の背面図である。
【図５】本考案の第２実施形態に係る足首保温用使い捨てカイロＡ２の正面図である。
【図６】本考案の第３実施形態に係る足首保温用使い捨てカイロＡ３の正面図である。
【図７】本考案の第４実施形態に係る足首保温用使い捨てカイロＡ４の正面図である。
【図８】本考案の第５実施形態に係る足首保温用使い捨てカイロＡ５の正面図である。
【図９】従来の足首保温用使い捨てカイロの正面図である。
【００４６】
１              保温部
１ａ            前縁部
１ｂ            後縁部
２，２ａ，２ｂ  帯部
３              接合部
４              発熱組成物
【図１】
0003120300.tif 000003
【図２】
0003120300.tif 000004
【図３】
0003120300.tif 000005
【図４】
0003120300.tif 000006
【図５】
0003120300.tif 000007
【図６】
0003120300.tif 000008
【図７】
0003120300.tif 000009
【図８】
0003120300.tif 000010
【図９】
0003120300.tif 000011